(57)【特許請求の範囲】
【請求項１】
輸送容器と、輸送容器内に収納された保冷保温容器と、を備えたコンテナであって、
保冷保温容器は、
天面パネルと、
開閉可能な正面パネル、左面パネル、奥面パネル、および右面パネルが連結部を介して互いに折り曲げ可能に連結された側面パネルと、
底面パネルと、
を有し、
天面パネルと側面パネルとは互いに連結され、底面パネルと側面パネルとは互いに連結され、
側面パネルは、全高方向に延びる分離部を介して、少なくとも一方の側面パネル部分と他方の側面パネル部分とに分離可能であり、
天面パネルは、一方の天面パネル部分と他方の天面パネル部分とに分離可能であり、
底面パネルは、一方の底面パネル部分と他方の底面パネル部分とに分離可能であり、
左面パネル、奥面パネル、および右面パネルのいずれかは、連結部とは異なる部位に存在する折り曲げ可能な折曲部、を有するパネル、または、連結部とは異なる部位に存在する分離可能な分離部、を有するパネルであり、
一方の側面パネル部分の折曲部または分離部を有する一または複数のパネルに、一方の天面パネル部分と一方の底面パネル部分とが連結され、
他方の側面パネル部分の折曲部または分離部を有する一または複数のパネルに、他方の天面パネル部分と他方の底面パネル部分とが連結され、
天面パネル、側面パネル、および底面パネルは、断熱性部材を有する
ことを特徴とするコンテナ。
【請求項２】
天面パネルおよび側面パネルは、真空断熱材を含む断熱性部材を有する
ことを特徴とする請求項１に記載のコンテナ。
【請求項３】
天面パネルには、下方に引っ張ることが可能な取っ手が設けられている
ことを特徴とする請求項１または請求項２に記載のコンテナ。
【請求項４】
コンテナの輸送容器内に収納されて用いられる保冷保温容器であって、
天面パネルと、
開閉可能な正面パネル、左面パネル、奥面パネル、および右面パネルが連結部を介して互いに折り曲げ可能に連結された側面パネルと、
底面パネルと、
を備え、
天面パネルと側面パネルとは互いに連結され、底面パネルと側面パネルとは互いに連結され、
側面パネルは、全高方向に延びる分離部を介して、少なくとも一方の側面パネル部分と他方の側面パネル部分とに分離可能であり、
天面パネルは、一方の天面パネル部分と他方の天面パネル部分とに分離可能であり、
底面パネルは、一方の底面パネル部分と他方の底面パネル部分とに分離可能であり、
左面パネル、奥面パネル、および右面パネルのいずれかは、連結部とは異なる部位に存在する折り曲げ可能な折曲部、を有するパネル、または、連結部とは異なる部位に存在する分離可能な分離部、を有するパネルであり、
一方の側面パネル部分の折曲部または分離部を有する一または複数のパネルに、一方の天面パネル部分と一方の底面パネル部分とが連結され、
他方の側面パネル部分の折曲部または分離部を有する一または複数のパネルに、他方の天面パネル部分と他方の底面パネル部分とが連結され、
天面パネル、側面パネル、および底面パネルは、断熱性部材を有する
ことを特徴とする保冷保温容器。
【請求項５】
天面パネルおよび側面パネルは、真空断熱材を含む断熱性部材を有する
ことを特徴とする請求項４に記載の保冷保温容器。
【請求項６】
天面パネルには、下方に引っ張ることが可能な取っ手が設けられている
ことを特徴とする請求項４または請求項５に記載の保冷保温容器。
【発明の詳細な説明】
【技術分野】
【０００１】
本発明は、輸送容器とその輸送容器内に収納された保冷保温容器とを備えたコンテナ、および輸送容器内に収納されて用いられる保冷保温容器に関する。
【背景技術】
【０００２】
近年、地球温暖化が深刻な問題となっている。これに伴い、航空機、鉄道、トラック等による物流分野においても他の分野と同様に省エネルギー化が推進されている。そのため、物流分野で用いられるコンテナでは、その重量を軽くする軽量化やその内部スペースを拡張する省スペース化は、極めて重要な課題である。
【０００３】
ところが、物流分野では、新鮮な商品を鮮度を保った状態で輸送することが要求される場合がある。そのような場合には、保冷保温容器を内部に収納した輸送容器がコンテナとして使用されている。
【０００４】
一般に、保冷保温容器は、そのパネルが断熱性部材を有することによって、容器内外の熱の移動を抑制している。従来の保冷保温容器のパネルには、断熱性部材として発泡断熱材が用いられている。また、最近、真空断熱材をパネルに用いた保冷保温容器が提案されている。真空断熱材は、単位厚み当りの断熱性能が発泡断熱材よりも大幅に高いので、所望の保冷保温機能を確保しつつ、保冷保温容器の軽量化や省スペース化を図ることができる。
【０００５】
特許文献１には、前面パネルおよび天面パネルと組み合わせて直方体状の密閉容器を形成する筐体パネルを有し、筐体パネルの内部に真空断熱材を設けたものが記載されている。
【０００６】
また、特許文献２および特許文献３には、真空断熱材を有する４つの壁面からなる筒状の壁体と、壁体の一端縁部に嵌合する蓋体と、壁体の他端縁部に嵌合する基台とを有し、壁体と蓋体と基台とが互いに分離可能となっているものが記載されている。さらに、特許文献２および特許文献３には、壁体のうち一対の対向する壁面がそれぞれ谷折りに折り畳み可能となっていることが記載されている。
【先行技術文献】
【特許文献】
【０００７】
【特許文献１】特開２０１３−２４９１２５号公報
【特許文献２】特許第４１８９０２２号公報
【特許文献３】特開２００９−１３７６５３号公報
【発明の概要】
【発明が解決しようとする課題】
【０００８】
ところで、特許文献１乃至特許文献３に記載のものは、いずれもコンテナで用いるには適していない。すなわち、内部温度管理が要求されない貨物を輸送する場合には、保冷保温容器が組み立てられた状態で輸送容器内に収納されていると、貨物の出し入れの邪魔になったり、積載効率を阻害したりするおそれがある。そのため、コンテナで用いられる保冷保温容器は、必要に応じて組み立てと折り畳みとが可能であることが重要である。それによって、内部温度管理が要求される貨物を輸送する場合には、保冷保温容器を組み立てた状態で輸送容器内に収納し、一方、内部温度管理が要求されない貨物を輸送する場合には、保冷保温容器を折り畳んだ状態で輸送容器内に収納することができる。
【０００９】
さらに、コンテナで用いられる保冷保温容器では、コスト削減も重要であるため、組み立て作業や折り畳み作業を行うにあたっては、作業性が良好で、かつ広大な作業場が要らないことが重要である。例えば、一人二人程度の少人数で組み立て作業や折り畳み作業の大部分を輸送容器内で行うことができれば、容易であると言える。しかし、従来の保冷保温容器では、コンテナで用いることを目的として、組み立てと折り畳みとを可能とし、かつそれらの作業を容易とすることについて、考慮されていない。
【００１０】
特許文献１においては、筐体パネルが、後面パネル部と右側面パネル部と左側面パネル部と底面パネル部とから構成されているが、これらの各パネル部の接続部は気密性を保つために溶接されている。そのため、筐体パネルを折り畳むことは不可能であり、不使用時であっても相当の広さの保管スペースが必要になるという問題がある。
【００１１】
また、特許文献２および特許文献３においては、箱体の寸法に関する具体的な記載がなく、また、構造上、壁体を立たせた状態では開閉が天面に限定される。折り畳まれた状態の壁体を筒状に広げるためには、作業者が壁体の内側に入って谷折りにされた壁面を外側に押しやる必要があるが、仮に各辺の長さが１ｍ以上に大型化される場合、壁体を立たせた状態では開閉が天面に限定されることから作業者が壁体の内側に入ることが困難である。また、壁体を寝かせた状態では作業者が壁体の内側に入ることが可能であるものの、筒状に広げられた壁体を立たせる作業には過大な労力を要するとともに、周囲に十分な作業スペースが必要になるという問題がある。また、折り畳み作業では、蓋体と基台と壁体とに分解する必要があり、すなわち少なくとも３点以上に分解する必要があり、部品点数が多くて作業性が悪い。また、組み立て作業では、壁体から分離された蓋体および基台を、その向きや裏表を間違わずに壁体に対して適切に位置決めする必要があり、作業者の負担が大きい。また、蓋体と基台と壁体とに分解可能であることから、蓋体と壁体との間および壁体と基台との間から熱が出入りし易いという問題もある。
【００１２】
本発明は、以上のような点を考慮してなされたものである。本発明の目的は、組み立て作業および折り畳み作業を容易に行うことができ、かつ内部温度を良好に維持することができる保冷保温容器、およびそれを備えたコンテナを提供することにある。
【課題を解決するための手段】
【００１３】
本発明は、輸送容器と、輸送容器内に収納された保冷保温容器と、を備えたコンテナであって、保冷保温容器は、天面パネルと、開閉可能な正面パネル、左面パネル、奥面パネル、および右面パネルが連結部を介して互いに折り曲げ可能に連結された側面パネルと、底面パネルと、を有し、天面パネルと側面パネルとは互いに連結され、底面パネルと側面パネルとは互いに連結され、側面パネルは、全高方向に延びる分離部を介して、少なくとも一方の側面パネル部分と他方の側面パネル部分とに分離可能であり、天面パネルは、一方の天面パネル部分と他方の天面パネル部分とに分離可能であり、底面パネルは、一方の底面パネル部分と他方の底面パネル部分とに分離可能であり、左面パネル、奥面パネル、および右面パネルのいずれかは、連結部とは異なる部位に存在する折り曲げ可能な折曲部、を有するパネル、または、連結部とは異なる部位に存在する分離可能な分離部、を有するパネルであり、一方の側面パネル部分の折曲部または分離部を有する一または複数のパネルに、一方の天面パネル部分と一方の底面パネル部分とが連結され、他方の側面パネル部分の折曲部または分離部を有する一または複数のパネルに、他方の天面パネル部分と他方の底面パネル部分とが連結され、天面パネル、側面パネル、および底面パネルは、断熱性部材を有することを特徴とするコンテナである。
【００１４】
また、本発明は、コンテナの輸送容器内に収納されて用いられる保冷保温容器であって、天面パネルと、開閉可能な正面パネル、左面パネル、奥面パネル、および右面パネルが連結部を介して互いに折り曲げ可能に連結された側面パネルと、底面パネルと、を備え、天面パネルと側面パネルとは互いに連結され、底面パネルと側面パネルとは互いに連結され、側面パネルは、全高方向に延びる分離部を介して、少なくとも一方の側面パネル部分と他方の側面パネル部分とに分離可能であり、天面パネルは、一方の天面パネル部分と他方の天面パネル部分とに分離可能であり、底面パネルは、一方の底面パネル部分と他方の底面パネル部分とに分離可能であり、左面パネル、奥面パネル、および右面パネルのいずれかは、連結部とは異なる部位に存在する折り曲げ可能な折曲部、を有するパネル、または、連結部とは異なる部位に存在する分離可能な分離部、を有するパネルであり、一方の側面パネル部分の折曲部または分離部を有する一または複数のパネルに、一方の天面パネル部分と一方の底面パネル部分とが連結され、他方の側面パネル部分の折曲部または分離部を有する一または複数のパネルに、他方の天面パネル部分と他方の底面パネル部分とが連結され、天面パネル、側面パネル、および底面パネルは、断熱性部材を有することを特徴とする保冷保温容器である。
【発明の効果】
【００１５】
本発明によれば、組み立て作業および折り畳み作業を容易に行うことができ、かつ内部温度を良好に維持することができる。
【図面の簡単な説明】
【００１６】
【図１ａ】図１ａは、本発明の一実施の形態によるコンテナを示す斜視図である。
【図１ｂ】図１ｂは、図１ａのコンテナにおいて、保冷保温容器が折り畳まれて積載されている状態を示す斜視図である。
【図１ｃ】図１ｃは、図１ａのコンテナの保冷保温容器を拡大して示す斜視図である。
【図２】図２は、図１ｃの保冷保温容器の内部平面図である。
【図３】図３は、図１ｃの保冷保温容器の内部側面図である。
【図４】図４は、図３の保冷保温容器において符号Ａが付された一点鎖線で囲まれた部分を拡大して示す断面図である。
【図５】図５は、図３の保冷保温容器において符号Ｂが付された一点鎖線で囲まれた部分を拡大して示す断面図である。
【図６】図６は、図１ｃの保冷保温容器が平板状に展開された状態を示す斜視図である。
【図７】図７（ａ）は、断熱性部材を示す斜視図である。図７（ｂ）は、断熱性部材と外装袋とを有する外装袋付断熱性部材を示す斜視図である。
【図８】図８は、図７（ｂ）の外装袋付断熱性部材を接合した状態を示す斜視図である。
【図９】図９（ａ）および図９（ｂ）は、真空断熱材を示す断面図である。
【図１０】図１０（ａ）乃至図１０（ｃ）は、図１ｃの保冷保温容器の組み立て方法を説明するための図である。
【図１１】図１１は、図１ｃの保冷保温容器が平板状に展開された状態の変形例を示す斜視図である。
【図１２】図１２は、第２の実施の形態の保冷保温容器が平板状に展開された状態を示す斜視図である。
【図１３】図１３（ａ）乃至図１３（ｃ）は、図１２の保冷保温容器の組み立て方法を説明するための図である。
【図１４】図１４は、第２の実施の形態の保冷保温容器が平板状に展開された状態の変形例を示す斜視図である。
【図１５】図１５（ａ）乃至図１５（ｃ）は、左面パネルに設けられた固定具付ベルについて説明するための図である。
【発明を実施するための形態】
【００１７】
本発明の実施の形態のコンテナは、輸送容器と、輸送容器内に収納された保冷保温容器と、を備えている。保冷保温容器は、天面パネルと、開閉可能な正面パネル、左面パネル、奥面パネル、および右面パネルが連結部を介して互いに折り曲げ可能に連結された側面パネルと、底面パネルと、を有している。天面パネルと側面パネルとは互いに連結され、底面パネルと側面パネルとは互いに連結されている。また、側面パネルは、全高方向に延びる分離部を介して、少なくとも一方の側面パネル部分と他方の側面パネル部分とに分離可能である。そして、天面パネル、側面パネル、および底面パネルは、断熱性部材を有する。
【００１８】
上記の実施の形態のコンテナによれば、天面パネルと側面パネルとは互いに連結され、底面パネルと側面パネルとは互いに連結されているため、部品点数が減り、折り畳み作業が容易である。また、側面パネルを少なくとも一方の側面パネル部分と他方の側面パネル部分とに分離することで、一部品あたりの大きさが減少し、持ち運び性が向上する。また、組み立て作業では、天面パネルおよび底面パネルを、その向きや裏表を間違わずに側面パネルに対して適切に位置決めする必要が無く、作業性が良い。さらに、天面パネルと側面パネルとの間および側面パネルと底面パネルとの間からの熱の出入りを抑制でき、保冷保温容器の内部温度を良好に維持することができる。
【００１９】
また、本発明の実施の形態の保冷保温容器は、天面パネルと、開閉可能な正面パネル、左面パネル、奥面パネル、および右面パネルが連結部を介して互いに折り曲げ可能に連結された側面パネルと、底面パネルと、を備えている。天面パネルと側面パネルとは互いに連結され、底面パネルと側面パネルとは互いに連結されている。また、側面パネルは、全高方向に延びる分離部を介して、少なくとも一方の側面パネル部分と他方の側面パネル部分とに分離可能である。そして、天面パネル、側面パネル、および底面パネルは、断熱性部材を有する。
【００２０】
上記の実施の形態の保冷保温容器によれば、天面パネルと側面パネルとは互いに連結され、底面パネルと側面パネルとは互いに連結されているため、部品点数が減り、折り畳み作業が容易である。また、側面パネルを少なくとも一方の側面パネル部分と他方の側面パネル部分とに分離することで、一部品あたりの大きさが減少し、持ち運び性が向上する。また、組み立て作業では、天面パネルおよび底面パネルを、その向きや裏表を間違わずに側面パネルに対して適切に位置決めする必要が無く、作業性が良い。さらに、天面パネルと側面パネルとの間および側面パネルと底面パネルとの間からの熱の出入りを抑制でき、保冷保温容器の内部温度を良好に維持することができる。したがって、輸送容器内に収納されて、コンテナとして用いる用途に特に適している。
【００２１】
上記の実施の形態のコンテナにおける保冷保温容器または上記の実施の形態の保冷保温容器において、天面パネルは、一方の天面パネル部分と他方の天面パネル部分とに分離可能であり、底面パネルは、一方の底面パネル部分と他方の底面パネル部分とに分離可能であり、一方の側面パネル部分に、一方の天面パネル部分と一方の底面パネル部分とが連結され、他方の側面パネル部分に、他方の天面パネル部分と他方の底面パネル部分とが連結されていてもよい。この場合、天面パネルおよび底面パネルをそれぞれ一対の天面パネル部分および一対の底面パネル部分に分離して小型化できるので、組み立て作業および分解作業を一層容易に行うことができる。また、この場合、分離された一方の側面パネル部分を含む一方の連結パネルの大きさと他方の側面パネル部分を含む他方の連結パネルの大きさとを概ね揃えることができ、一部品あたりの大きさを概ね半減することができる。
【００２２】
あるいは、上記の実施の形態のコンテナにおける保冷保温容器または上記の実施の形態の保冷保温容器において、一方の側面パネル部分に、天面パネルが連結され、他方の側面パネル部分に、底面パネルが連結されていてもよい。この場合も、分離された一方の側面パネル部分を含む一方の連結パネルの大きさと他方の側面パネル部分を含む他方の連結パネルの大きさとを概ね揃えることができ、一部品あたりの大きさを概ね半減することができる。
【００２３】
また、上記の実施の形態のコンテナにおける保冷保温容器または上記の実施の形態の保冷保温容器において、側面パネルは、連結部とは異なる部位に存在する折曲部を介して折曲可能である。この場合、側面パネルを連結部および折曲部を介して折り畳んで小型化できるので、組み立て作業および分解作業を一層容易に行うことができる。
【００２４】
また、上記の実施の形態のコンテナにおける保冷保温容器または上記の実施の形態の保冷保温容器において、天面パネルおよび側面パネルは、真空断熱材を含む断熱性部材を有する。この場合、天面パネルおよび側面パネルが軽量化され、組み立て作業および折り畳み作業を一層容易に行うことができる。また、天面パネルおよび側面パネルの断熱性が上がるため、保冷保温容器の内部温度を一層良好に維持することができる。
【００２５】
また、上記の実施の形態のコンテナにおける保冷保温容器または上記の実施の形態の保冷保温容器において、天面パネルには、下方に引っ張ることが可能な取っ手が設けられていることが好ましい。取っ手を下方に引っ張ることで、天面パネルと側面パネルをより密着させることができ、熱が移動し難くすることができる。特に、輸送容器内で保冷保温容器を組み立てる場合や保冷保温容器が大型の場合に、外側から天面パネルと側面パネルを押し付けて密着させることが困難であるため、取っ手を設けることは極めて有用である。さらに、天面パネルの取っ手にバックルを用い、側面パネルにベルトを配置することがより好ましい。天面パネルと側面パネルとの密着を保持することが可能となる。
【００２６】
以下、図面を参照して、本発明の実施の形態について具体例を説明する。
【００２７】
図１ａは、本発明の一実施の形態によるコンテナを示す斜視図である。図１ｂは、図１ａのコンテナにおいて、保冷保温容器が折り畳まれて積載されている状態を示す斜視図である。
【００２８】
図１ａ及び図１ｂに示すように、本実施の形態によるコンテナ１は、輸送容器２と、輸送容器２内に収納された保冷保温容器１０と、を備えている。
【００２９】
保冷保温容器１０は、例えば輸送容器２の保冷性または保温性を向上させる用途に用いることができる。すなわち、保冷保温容器１０の各辺の長さは輸送容器２の内部空間の各辺の長さに対応するように設計されている。折り畳まれた状態の保冷保温容器１０は、輸送容器２内で組み立てられた後、その内部に保冷あるいは保温すべき貨物が収納され、輸送容器２とともにコンテナ１として輸送される。また、不使用時には、保冷保温容器１０は、輸送容器２内において折り畳まれた後、輸送容器２内で保管される。なお、折り畳まれた状態の保冷保温容器１０は、それを収納している輸送容器２に常に収納される必要はなく、それを収納している輸送容器２とは異なる他の輸送容器２に、その他の輸送容器が収納している折り畳まれた状態の保冷保温容器１０と一緒にまとめて収納されてもよい。それによって、各コンテナ１の積載効率を向上させることができ、効率的な輸送が可能になる。
【００３０】
図１ｃは、本実施の形態の保冷保温容器１０を拡大して示す斜視図である。図２は、図１ｃの保冷保温容器１０の内部平面図である。図３は、図１ｃの保冷保温容器１０の左側から見た内部側面図である。なお、図２では、天面パネル１１の図示を省略しており、図３では、左面パネル１３の図示を省略している。
【００３１】
図１ｃ、図２、および図３に示すように、本実施の形態による保冷保温容器１０は、天面パネル１１と、正面パネル１２、左面パネル１３、奥面パネル１４、および右面パネル１５（下記では、これらのパネル１２、１３、１４、１５の共通名称として「側面用パネル」と言う場合がある。）と、底面パネル１６と、を備えている。
【００３２】
このうち側面用パネル１２、１３、１４、１５は、図１ｃおよび図２に示すように、連結部３１ａ、３１ｂ、３１ｃ、３１ｄを介して互いに折り曲げ可能に連結され、全幅方向に延びる側面パネル１７を構成している。
【００３３】
また、図１ｃに示すように、天面パネル１１と側面パネル１７とは、連結部３１ｅを介して互いに折り曲げ可能に連結されている。また、図３に示すように、底面パネル１６と側面パネル１７とは、連結部３１ｆを介して互いに折り曲げ可能に連結されている。
【００３４】
本実施の形態では、各パネル１１〜１６は、伸縮性を有する柔軟な材料（例えば樹脂）からなる外装袋に包まれており、隣り合う一対のパネルの各々の外装袋の端部同士が接合されて（例えば外装体の端部の耳部同士が縫合されて）、その接合部分から連結部３１ａ〜３１ｆが構成されている。したがって、本実施の形態の連結部３１ａ〜３１ｆは、折り曲げ可能であるとともに伸縮可能となっている。連結部３１ａ〜３１ｆが伸縮可能であることで、各パネル１１〜１６が積み重ねられた状態となるように保冷保温容器１０を容易に折り畳むことができる。
【００３５】
図４は、図３の保冷保温容器１０において符号Ａが付された一点鎖線で囲まれた部分を拡大して示す断面図である。図５は、図３の保冷保温容器１０において符号Ｂが付された一点鎖線で囲まれた部分を拡大して示す断面図である。
【００３６】
図４に示すように、天面パネル１１は、天井部と、天井部の底面に積層され天井部より各辺が小さい嵌合部と、からなる２層構造を有しており、天井部の底面が奥面パネル１４の端面に当接されて支持されるとともに、嵌合部の端面が奥面パネル１４の上端部の内面に当接されている。図示されていないが、同様に、天井部の別の底面が左面パネル１３の端面に当接されて支持されるとともに、嵌合部の別の端面が左面パネル１３の上端部の内面に当接されており、天井部のさらに別の底面が右面パネル１５の端面に当接されて支持されるとともに、嵌合部のさらに別の端面が右面パネル１５の上端部の内面に当接されている。なお、本明細書において「内面」とは、保冷保温容器１０の内側を向く面を意味し、「外面」とは、保冷保温容器１０の外側を向く面を意味する。
【００３７】
また、図５に示すように、底面パネル１６の端面は奥面パネル１４の下端部の内面に当接されている。図示されていないが、同様に、底面パネル１６の別の端面は左面パネル１３の下端部の内面に当接されており、底面パネル１６のさらに別の端面は右面パネル１５の下端部の内面に当接されている。
【００３８】
図１ｃおよび図２に示すように、本実施の形態では、正面パネル１２は、中央付近に設けられた全高方向に延びる分離部３３ａを介して、一方の正面パネル部分１２ａと他方の正面パネル部分１２ｂとに分離可能となっており、保冷保温容器１０の両開き扉を構成するようになっている。なお、本明細書において「中央付近」とは、パネルの全幅を３分割したときに、両端部分に挟まれた真ん中の部分を意味する。
【００３９】
図６は、本実施の形態による保冷保温容器１０が平板状に展開された状態を示す斜視図である。
【００４０】
図６に示すように、側面パネル１７は、全高方向に延びる第２分離部３３ｂを介して、少なくとも一方の側面パネル部分１７ａと他方の側面パネル部分１７ｂとに分離可能である。図示された例では、第２分離部３３ｂは、奥面パネル１４の中央付近に設けられており、奥面パネル１４は、第２分離部３３ｂを介して、一方の奥面パネル部分１４ａと他方の奥面パネル部分１４ｂとに分離可能である。
【００４１】
そして、一方の正面パネル部分１２ａと左面パネル１３と一方の奥面パネル部分１４ａとが連結部３１ａ、３１ｂを介して互いに連結されて一方の側面パネル部分１７ａを構成している。また、他方の正面パネル部分１２ｂと右面パネル１５と他方の奥面パネル部分１４ｂとが連結部３１ｃ、３１ｄを介して互いに連結されて他方の側面パネル部分１７ｂを構成している。このように、側面パネル１７が一方の側面パネル部分１７ａと他方の側面パネル部分１７ｂとに第２分離部３３ｂを介して分離されることで、一部品あたりの大きさが減少し、持ち運び性が向上する。さらに、第２分離部３３ｂが奥面パネル１４の中央付近に設けられていることで、一方の側面パネル部分１７ａと他方の側面パネル部分１７ｂとの大きさを概ね揃えることができる。
【００４２】
図６に示すように、一方の側面パネル部分１７ａと他方の側面パネル部分１７ｂとは、適宜の締結手段、例えば面ファスナにより互いに締結されるようになっている。なお、締結手段としては、面ファスナに限定されず、点ファスナ、線ファスナ、留め金、ネジなどを用いることもできる。図示された例では、一方の側面パネル部分１７ａのうち第２分離部３３ｂ側の端部の内面には、全高方向に延びる雌型面ファスナ５４が取り付けられており、その外面には、上下２箇所に雄型面ファスナ付フラップ５５が取り付けられている。また、他方の側面パネル部分１７ｂのうち第２分離部３３ｂ側の端部の内面には、全高方向に延びる雄型面ファスナ付フラップ５３が取り付けられており、その外面には、上下２箇所に雌型面ファスナ（不図示）が取り付けられている。そして、一対の側面パネル部分１７ａ、１７ｂは、その内面において雄型面ファスナ付フラップ５５が雌型面ファスナ５４に当接されるとともに、その外面において雄型面ファスナ付フラップ５３が雌型面ファスナ（不図示）に当接されることで、互いに締結されるようになっている。
【００４３】
本実施の形態では、図６に示すように、側面パネル１７は、連結部３１ａ、３１ｂ、３１ｃ、３１ｄとは異なる部位に存在する２つの折曲部３２ａ、３２ｂを介して折り曲げ可能である。図示された例では、一方の折曲部３２ａは、左面パネル１３の中央付近に設けられており、左面パネル１３は、当該一方の折曲部３２ａを介して折り曲げ可能に連結された一対の左面パネル部分１３ａ、１３ｂを有している。また、他方の折曲部３２ｂは、右面パネル１５の中央付近に設けられており、右面パネル１５は、当該他方の折曲部３２ｂを介して折り曲げ可能に連結された一対の右面パネル１５ａ、１５ｂを有している。このように、側面パネル１７のうち連結部３１ａ、３１ｂ、３１ｃ、３１ｄとは異なる部位に折曲部３２ａ、３２ｂが設けられていることで、側面パネル１７を折り畳んで小型化することができる。特に、一方の側面パネル部分１７ａを、連結部３１ａ、３１ｂにおいて山折りに折り曲げるとともに折曲部３２ａにおいて谷折りに折り曲げることで、Ｍ字状に折り畳むことが可能である。また、他方の側面パネル部分１７ｂを、連結部３１ｃ、３１ｄにおいて山折りに折り曲げるとともに折曲部３２ｂにおいて谷折りに折り曲げることで、Ｍ字状に折り畳むことが可能である。各側面パネル部分１７ａ、１７ｂは、Ｍ字状に折り畳まれた状態で自立可能である。
【００４４】
さらに、図６に示すように、天面パネル１１は、一方の天面パネル部分１１ａと他方の天面パネル部分１１ｂとに分離可能であり、底面パネル１６は、一方の底面パネル部分１６ａと他方の底面パネル部分１６ｂとに分離可能である。そして、一方の側面パネル部分１７ａに、一方の天面パネル部分１１ａと一方の底面パネル部分１６ａとが連結され、他方の側面パネル部分１７ｂに、他方の天面パネル部分１１ｂと他方の底面パネル部分１６ｂとが連結されている。図示された例では、一方の側面パネル部分１７ａのうち奥面パネル１４側の左面パネル部分１３ｂに一方の天面パネル部分１１ａが連結され、一方の奥面パネル部分１４ａに一方の底面パネル部分１６ａが連結されている。また、他方の側面パネル部分１７ｂのうち正面パネル１２側の右面パネル部分１５ｂに他方の天面パネル部分１１ｂが連結され、他方の奥面パネル部分１４ｂに他方の底面パネル部分１６ｂが連結されている。このように、一方の側面パネル部分１７ａに、一方の天面パネル部分１１ａと一方の底面パネル部分１６ａとが連結され、他方の側面パネル部分１７ｂに、他方の天面パネル部分１１ｂと他方の底面パネル部分１６ｂとが連結されていることで、分離された分離された一方の側面パネル部分１７ａを含む一方の連結パネル１８ａの大きさと、他方の側面パネル部分１７ｂを含む他方の連結パネル１８ｂの大きさと、を概ね揃えることができ、一部品あたりの大きさを概ね半減することができる。
【００４５】
なお、本実施の形態では、図６に示すように、一方の側面パネル部分１７ａのうち奥面パネル１４側の左面パネル部分１３ｂに一方の天面パネル部分１１ａが連結され、他方の側面パネル部分１７ｂのうち正面パネル１２側の右面パネル部分１５ｂに他方の天面パネル部分１１ｂが連結されていたが、これに限定されず、一方の側面パネル部分１７ａのうち正面パネル１２側の左面パネル部分１３ａに一方の天面パネル部分１１ａが連結され、他方の側面パネル部分１７ｂのうち奥面パネル１４側の右面パネル部分１５ａに他方の天面パネル部分１１ｂが連結されていてもよい。
【００４６】
図６に示すように、天面パネル１１は、左面パネル１３、奥面パネル１４、および右面パネル１５に適宜の連結手段、例えば面ファスナによって締結されるようになっている。より詳しくは、左面パネル１３、奥面パネル１４、および右面パネル１５の上端部の内面には、それぞれ、左右２箇所に雌型面ファスナ５２が取り付けられている。また、天面パネル１１の３つの端面には、左面パネル１３、奥面パネル１４、および右面パネル１５の雌型面ファスナ５２に対応するように雄型面ファスナ付フラップ５１が取り付けられている。そして、各雄型面ファスナ付フラップ５１が雌型面ファスナ５２に当接されることで、天面パネル１１は左面パネル１３、奥面パネル１４、および右面パネル１５に締結されるようになっている。
【００４７】
本実施の形態では、図６に示すように、左面パネル１３、奥面パネル１４、および右面パネル１５の内面には、それぞれ、保冷材または保温材を収納するポケット状の収納部４１が設けられている。このようなポケット状の収納部４１は、必ずしも左面パネル１３、奥面パネル１４、および右面パネル１５の内面に設ける必要は無く、天面パネル１１の内面、あるいは底面パネル１６の内面にポケット状の収納部４１が設けられてもよい。なお、図６では、正面パネル１２が重くなり開閉を妨げるおそれを防ぐために収納部４１は設けられていないが、特段の問題が生じなければ、正面パネル１２に収納部４１を設けてもよい。
【００４８】
次に、天面パネル１１および側面用パネル１２、１３、１４、１５の構造について詳しく説明する。
【００４９】
図４に示すように、天面パネル１１および側面用パネル１２、１３、１４、１５は、いずれも、断熱性部材２０と、この断熱性部材２０を覆う断熱性の外装袋２５と、を有する板状の外装袋付断熱性部材２０Ａからなっている。断熱性部材２０は、真空断熱材２１を含むことが好ましい。
【００５０】
本実施の形態では、天面パネル１１は、一対の天面パネル部分１１ａ、１１ｂに対応して一対の外装袋付断熱性部材２０Ａを有している。また、正面パネル１２は、一対の正面パネル部分１２ａ、１２ｂに対応して一対の外装袋付断熱性部材２０Ａを有しており、同様に、左面パネル１３は、一対の左面パネル部分１３ａ、１３ｂに対応して一対の外装袋付断熱性部材２０Ａを有しており、奥面パネル１４は、一対の奥面パネル部分１４ａ、１４ｂに対応して一対の外装袋付断熱性部材２０Ａを有しており、右面パネル１５は、一対の右面パネル部分１５ａ、１５ｂに対応して一対の外装袋付断熱性部材２０Ａを有している。断熱性部材２０は、真空断熱材２１を含む場合、真空断熱材２１は、一対のパネル部分のそれぞれに配置されており、パネル部分同士の間には配置されていない。そのため、パネル部分同士の間で、天面パネル１１や側面用パネル１２、１３、１４、１５が折り曲げられたり分離される場合であっても、真空断熱材２１が破損するおそれがない。真空断熱材２１では真空が破れた場合に、断熱性が急激に低下してしまうので、真空断熱材２１が破損しないようにパネルに配置することは重要である。
【００５１】
図７（ａ）は、断熱性部材２０を示す斜視図である。図７（ｂ）は、断熱性部材２０と外装袋２５とを有する外装袋付断熱性部材２０Ａを示す斜視図である。
【００５２】
外装袋２５は、断熱性の柔軟な可撓性材料からなり、容易に折り曲げることができるものである。
【００５３】
一方、図７（ａ）に示すように、断熱性部材２０は、少なくとも真空断熱材２１と、真空断熱材２１を両面から挟持する一対の追加断熱材２２と、一方の追加断熱材２２上に積層された保護材２３と、を有している。
【００５４】
図９（ａ）および図９（ｂ）は、真空断熱材２１を示す断面図である。
【００５５】
図９（ａ）および図９（ｂ）に示すように、真空断熱材２１は、繊維状、発泡状または粒状体の素材のうちのいずれか一つを少なくとも含む芯材２１ａと、この芯材２１ａを覆うとともにガスバリア性を有する外被材２１ｂと、を有し、外被材２１ｂ内を減圧して真空状態とすることにより得られる断熱材である。この場合、図９（ａ）に示すように、外被材２１ｂ内のうち芯材２１ａの両端に空間が形成されるが、図９（ｂ）に示すように、外被材２１ｂのうち芯材２１ａの両端に空間を形成することなく、外被材２１ｂを密着させてもよい。
【００５６】
図８に示すように、左面パネル１３の一対の左面パネル部分１３ａ、１３ｂに対応する一対の外装袋付断熱性部材２０Ａは、全高方向に延びる折曲部３２ａを介して互いに連結されている。より詳しくは、一方の外装袋付断熱性部材２０Ａの長手方向に延びる稜線部が、他方の外装袋付断熱性部材２０Ａの長手方向に延びる稜線部に当接された状態で、外装袋２５の端部同士が接合されて（例えば、外装袋２５の端部の耳部同士が縫合されて）折曲部３２ａを構成している。これにより、一方の外装袋付断熱性部材２０Ａと他方の外装袋付断熱性部材２０Ａとは、折曲部３２ａを介して折り曲げ可能となっている。同様に、右面パネル１５の一対の右面パネル部分１５ａ、１５ｂに対応する一対の外装袋付断熱性部材２０Ａも、全高方向に延びる折曲部３２ｂを介して互いに折り曲げ可能に連結されている。
【００５７】
次に、保冷保温容器１０の底面パネル１６の構造について詳しく説明する。
【００５８】
図５に示すように、底面パネル１６は、底面用断熱性部材２０’と、この底面用断熱性部材２０’を覆う断熱性の外装袋２５と、を有する外装袋付底面用断熱性部材２０Ｂからなっている 。底面用断熱性部材２０’は、発泡断熱材２６を含んでいる。
【００５９】
本実施の形態では、底面パネル１６は、一対の底面パネル部分１６ａ、１６ｂに対応して一対の外装袋付底面用断熱性部材２０Ｂを有している。
【００６０】
外装袋付底面用断熱性部材２０Ｂの外装袋２５は、上述の外装袋付断熱性部材２０Ａの外装袋２５と同じものであり、説明を省略する。
【００６１】
一方、底面用断熱性部材２０’は、発泡断熱材２６と、発泡断熱材２６上に積層された底面用保護材２７と、を有している。
【００６２】
次に、各部の構成材料について説明する。
【００６３】
（断熱性部材２０）
まず、断熱性部材２０の材料について説明する。断熱性部材２０は、上述のように、真空断熱材２１と、一対の追加断熱材２２と、保護材２３と、を有している。
【００６４】
このうち、真空断熱材２１は、芯材２１ａと、芯材２１ａを覆うガスバリア性の外被材２１ｂとからなる。
【００６５】
また、追加断熱材２２としては、一般的な発泡材料を用いることができる。具体的には、押し出し発泡ポリスチレン、ビーズ法ポリスチレン、ウレタンフォーム、高発泡ポリエチレン、フェノールフォーム等の発泡プラスチック系断熱材等を挙げることができる。
【００６６】
また、保護材２３は、以下のようなものである。すなわち、真空断熱材２１は外傷等で亀裂やしわ、貫通が生じやすく、単独で用いると特に物流過程で損傷しやすく、いったん外装が破壊されると真空度が低下して十分な断熱性を維持できないおそれがある。そこで、本実施の形態では、追加断熱材２２により真空断熱材２１の表裏を被覆するとともに、保護材２３により追加断熱材２２の容器外側を被覆することで真空断熱材２１を保護し、真空断熱材２１の繰り返しの使用ができるようになっている。
【００６７】
保護材２３としては、保護機能のある剛性を備えていれば特に限定されず、例えば合板、鋼板、発泡材、剛性樹脂板、エンボス樹脂シート、板紙等を用いても良いが、物流上、重量や体積が低減されることで輸送コストを軽減できることから、特に、いわゆる養生材やプラダン（プラスチックダンボール）、あるいはその複合材を用いることが、特にコスト、重量的に好ましい。
【００６８】
断熱性部材２０を形成する材料の熱伝導率としては、所望の断熱性を示すことができれば特に限定されないが、例えば、１００ｍＷ・ｍ−１・Ｋ−１以下、なかでも５０ｍＷ・ｍ−１・Ｋ−１以下、特に３５ｍＷ・ｍ−１・Ｋ−１以下であることが好ましい。断熱性部材２０の熱伝導率が大きいと、十分な断熱機能を発揮することが困難となるからである。
【００６９】
また、断熱性部材２０を構成する材料の比熱としては、所望の断熱性を示すことができれば特に限定されないが、例えば、０．５ｋＪ・ｇ−１・Ｋ−１〜２．０ｋＪ・ｇ−１・Ｋ−１程度であり、なかでも０．８ｋＪ・ｇ−１・Ｋ−１〜１．５ｋＪ・ｇ−１・Ｋ−１の範囲内、特に１．０ｋＪ・ｇ−１・Ｋ−１〜１．４ｋＪ・ｇ−１・Ｋ−１の範囲内であることが好ましい。
【００７０】
断熱性部材２０の厚さとしては、所望の断熱性を有することができれば特に限定されず、様々の用途に応じて適宜選択することができるが、物流に関しては体積を低減するこが物流コスト上、好ましく、例えば、０．１ｍｍ〜１００ｍｍの範囲内、なかでも１ｍｍ〜８０ｍｍの範囲内、特に３ｍｍ〜５０ｍｍの範囲内であることが好ましい。
【００７１】
断熱性部材２０の厚さが厚すぎる場合は、断熱性部材２０が重くなり、保冷保温容器１０全体が重くなって、保冷保温容器１０の取り扱いが困難となる可能性がある。一方、断熱性部材２０の厚さが薄すぎると十分な断熱性を発揮することが困難となる場合や、断熱性部材２０の真空断熱材２１が破損等し易くなる可能性がある。また、本実施の形態においては、上述した数値範囲内において、断熱性部材２０の厚さは薄いことがより好ましい。
【００７２】
本実施の形態による保冷保温容器１０においては、保護材２３の厚みを薄くすれば、計量化できるだけでなく、真空断熱材２１の断熱機能をより発揮することができ、保冷保温容器１０の重量や寸法を抑制できる。また、断熱性部材２０全体としての厚さを薄くして、軽量化やコンパクト化を示すことができる。この場合、本実施の形態による保冷保温容器１０を軽量なものとすることができることで、組み立て作業、および分解作業における作業者の負担を低減することができる。
【００７３】
（外装袋２５）
次に、外装袋２５の材料について述べる。
【００７４】
外装袋２５は、断熱性をもつ柔軟な可撓性材料からなり、ＰＥＴ・アルミ箔・ポリエチレンフォーム等、あるいはＰＥＴ・アルミ箔・ペフ等で袋化したものを用いることができる。外装袋２５として軟質の袋体を用いることで、収納された断熱性部材２０の擦過傷等を予防し、商品寿命を延長することができる。
【００７５】
（底面用断熱性部材２０’）
次に、底面用断熱性部材２０’の材料について述べる。底面用断熱性部材２０’は、上述のように、発泡断熱材２６と、発泡断熱材２６上に積層された底面用保護材２７と、を有している。
【００７６】
発泡断熱材２６としては、追加断熱材２２と同様、一般的な発泡材料を用いることができる。具体的には、例えば、押し出し発泡ポリスチレン、ビーズ法ポリスチレン、ウレタンフォーム、高発泡ポリエチレン、フェノールフォーム等の発泡プラスチック系断熱材等を挙げることができる。
【００７７】
底面用保護材２７としては、保護材２３と同様、保護機能のある剛性を備えていれば特に限定されず、例えば合板、鋼板、発泡材、剛性樹脂板、エンボス樹脂シート、板紙等を用いても良いが、物流上、重量や体積が低減されることで輸送コストを軽減できることから、特に、いわゆる養生材やプラダン（プラスチックダンボール）、あるいはその複合材を用いることが、特にコスト、重量的に好ましい。
【００７８】
次に、図１ａ、図１ｂ、および図１０（ａ）乃至図１０（ｃ）を参照して、以上のような構成からなる本実施の形態の作用について説明する。
【００７９】
まず、図１ｂに示すように、第２分離部３３ｂを介して分離された一方の側面パネル部分１７ａを含む一方の連結パネル１８ａと、他方の側面パネル部分１７ｂを含む他方の連結パネル１８ｂとが、それぞれ、各連結部３１ａ〜３１ｅおよび折曲部３２ａ、３２ｂを介して折り畳まれて小型化された状態で、例えば航空輸送用コンテナのアルミ製の輸送容器２内に搬入される。本実施の形態では、側面パネル１７が第２分離部３３ｂを介して一方の側面パネル部分１７ａと他方の側面パネル部分１７ｂとに分離されており、一方の側面パネル部分１７ａに、一方の天面パネル部分１１ａと一方の底面パネル部分１６ａとが連結され、他方の側面パネル部分１７ｂに、他方の天面パネル部分１１ｂと他方の底面パネル部分１６ｂとが連結されているため、分離された一方の側面パネル部分１７ａを含む一方の連結パネル１８ａの大きさと他方の側面パネル部分１７ｂを含む他方の連結パネル１８ｂの大きさとを概ね揃えることができ、一部品あたりの大きさを概ね半減することができる。そのため、全高方向の長さが１ｍ以上であっても、１人または少数の作業者により容易に搬入することができる。さらに、天面パネル１１および各側面用パネル１２、１３、１４、１５が真空断熱材２１を含んでいるため軽量であり、作業者の負担が一層軽減する。
【００８０】
次に、輸送容器２内において、図１０（ａ）に示すように、一方の側面パネル部分１７ａを含む一方の連結パネル１８ａが立たされた状態で、一方の側面パネル部分１７ａが展開される。そして、左面パネル１３の内面に取り付けられた不図示の雌型面ファスナに対して折曲部３２ａを跨ぐように雄型面ファスナ付フラップ５６（図６参照）が当接されることで、左面パネル１３の折曲部３２ａが固定される。また、他方の側面パネル部分１７ｂを含む他方の連結パネル１８ｂが立たされた状態で、他方の側面パネル部分１７ａが展開される。そして、右面パネル１５の内面に取り付けられた不図示の雌型面ファスナに対して折曲部３２ｂを跨ぐように雄型面ファスナ付フラップ５６（図６参照）が当接されることで、右面パネル１５の折曲部３２ａが固定される。また、一方の側面パネル部分１７ａの第２分離部３３ｂ側の端部と他方の側面パネル部分１７ｂの第２分離部３３ｂ側の端部とが、上述のように面ファスナ５３、５４、５５によって締結される。
【００８１】
次に、図１０（ｂ）に示すように、一方の奥面パネル部分１４ａに連結部３１ｆを介して連結された一方の底面パネル部分１６ａと他方の奥面パネル部分１４ｂに連結部３１ｆを介して連結された他方の底面パネル部分１６ｂとがそれぞれ広げられる（押し下げられる）。そして、底面パネル１６の端面が、左面パネル１３、奥面パネル１４、および右面パネル１５の下端部の内面に当接される。ここで、底面パネル１６は側面パネル１７に連結されているため、底面パネル１６を、その向きや裏表を間違わずに側面パネル１７に対して適切に位置決めする必要が無く、作業性が良い。
【００８２】
次に、図１０（ｃ）に示すように、他方の左面パネル部分１３ｂに連結部３１ｅを介して連結された一方の天面パネル部分１１ａと他方の右面パネル部分１４ｂに連結部３１ｅを介して連結された他方の天面パネル部分１１ｂとがそれぞれ広げられる（押し上げられる）。そして、天面パネル１１の天井部の底面が左面パネル１３、奥面パネル１４、および右面パネル１５の端面に当接されるとともに、天面パネル１１の嵌合部の端面が左面パネル１３、奥面パネル１４、および右面パネル１５の上端部の内面に当接される。天面パネル１１の嵌合部の端面と左面パネル１３、奥面パネル１４、および右面パネル１５の上端部の内面とは、前記したように面ファスナ５１、５２によって締結される。ここで、天面パネル１１は側面パネル１７に連結されているため、天面パネル１１を、その向きや裏表を間違わずに側面パネル１７に対して適切に位置決めする必要が無く、作業性が良い。
【００８３】
このようにして、図１ａに示すように、輸送容器２内に収容され、組み立てられた保冷保温容器１０が得られる。天面パネル１１は側面パネル１７に連結され、底面パネル１６は側面パネル１７に連結されているため、天面パネル１１と側面パネル１７との間および側面パネル１７と底面パネル１６との間からの熱の出入りを抑制でき、保冷保温容器１０の内部温度を良好に維持することができる。
【００８４】
次に、正面パネル１２の一対の正面パネル部分１２ａ、１２ｂが開の状態で、この一対の正面パネル部分１２ａ、１２ｂから保冷保温容器１０の内部に貨物が収納される。その後、この一対の正面パネル部分１２ａ、１２ｂが閉とされる。この時、一方の正面パネル部分１２ａの端部に全高方向に延びるように取付られた雌型面ファスナ５８に、他方の正面パネル部分１２ｂの端部に全高方向に延びるように取付られた雄型面ファスナ付フラップ５７が当接されることで、２つの正面パネル部分１２ａ、１２ｂがロックされる。その後、保冷保温容器１０は、輸送容器とともに輸送される。
【００８５】
次に、保冷保温容器１０を使用しない場合、輸送容器２内において、前述の工程が逆の順序で行われることにより、保冷保温容器１０が各連結部３１ａ〜３１ｆを介して折り畳まれるとともに、第２分離部３３ｂを介して一方の連結パネル１８ａと他方の連結パネル１８ｂとに分離される。本実施の形態では、天面パネル１１と側面パネル１７とが互いに連結され、底面パネル１６と側面パネル１７とが互いに連結されているため、部品点数が減り、折り畳み作業が容易である。また、側面パネル１７が少なくとも一方の側面パネル部分１７ａと他方の側面パネル部分１７ｂとに分離されることで、一部品あたりの大きさが減少し、持ち運び性が向上する。
【００８６】
以上のように、本実施の形態によれば、天面パネル１１と側面パネル１７とは互いに連結され、底面パネル１６と側面パネル１７とは互いに連結されているため、部品点数が減り、折り畳み作業が容易である。また、側面パネル１７を少なくとも一方の側面パネル部分１７ａと他方の側面パネル部分１７ｂとに分離することで、一部品あたりの大きさが減少し、持ち運び性が向上する。また、組み立て作業では、天面パネル１１および底面パネル１６を、その向きや裏表を間違わずに側面パネル１７に対して適切に位置決めする必要が無く、作業性が良い。
【００８７】
また、本実施の形態によれば、天面パネル１１と側面パネル１７との間の少なくとも一部および側面パネル１７と底面パネル１６との間の少なくとも一部が連結部３１ｅ、３１ｆにより連結されて塞がれているため、天面パネル１１と側面パネル１７との間および側面パネル１７と底面パネル１６との間からの熱の出入りを抑制でき、保冷保温容器１０の内部温度を良好に維持することができる。
【００８８】
本実施の形態によれば、天面パネル１１および底面パネル１６をそれぞれ一対の天面パネル部分１１ａ、１１ｂおよび一対の底面パネル部分１６ａ、１６ｂに分離して小型化できるので、組み立て作業および分解作業を一層容易に行うことができる。また、一方の側面パネル部分１７ａに一方の天面パネル部分１１ａと一方の底面パネル部分１６ａとが連結され、他方の側面パネル部分１７ｂに他方の天面パネル部分１１ｂと他方の底面パネル部分１６ｂとが連結されているため、分離された一方の側面パネル部分１７ａを含む一方の連結パネル１８ａの大きさと他方の側面パネル部分１７ｂを含む他方の連結パネル１８ｂの大きさとを概ね揃えることができ、一部品あたりの大きさを半減することができる。
【００８９】
また、本実施の形態によれば、側面パネル１７を、連結部３１ａ〜３１ｄおよび折曲部３２ａ、３２ｂを介して折り畳んで小型化できるので、組み立て作業および分解作業を一層容易に行うことができる。
【００９０】
また、本実施の形態によれば、天面パネル１１および側面パネル１７は、真空断熱材２１を含む断熱性部材２０を有しているため、天面パネル１１および側面パネル１７が軽量化され、組み立て作業および折り畳み作業を一層容易に行うことができる。また、天面パネル１１および側面パネル１７の断熱性が上がるため、保冷保温容器１０の内部温度を一層良好に維持することができる。
【００９１】
なお、本実施の形態では、図６に示すように、天面パネル１１の一対の天面パネル部分１１ａ、１１ｂが連結部３１ｅを介して左面パネル１３および右面パネル１５にそれぞれ連結され、底面パネル１６の一対の底面パネル部分１６ａ、１６ｂが連結部３１ｆを介して奥面パネル１４に連結されていたが、これに限定されず、図１１に示すように、天面パネル１１の一対の天面パネル部分１１ａ、１１ｂが連結部３１ｅを介して奥面パネル１４に連結され、底面パネル１６の一対の底面パネル部分１６ａ、１６ｂが連結部３１ｆを介して左面パネル１３および右面パネル１５にそれぞれ連結されていてもよい。図示された例では、一方の底面パネル部分１６ａが奥面パネル１４側の左面パネル部分１３ｂに連結され、他方の底面パネル部分１６ｂが正面パネル１２側の右面パネル部分１５ｂに連結されているが、一方の底面パネル部分１６ａが正面パネル１２側の左面パネル部分１３ａに連結され、他方の底面パネル部分１６ｂが奥面パネル１４側の右面パネル部分１５ａに連結されていてもよい。このような態様によっても、本実施の形態と同様の作用効果が得られる。
【００９２】
次に、図１２及び図１３を参照し、本発明の第２の実施の形態について説明する。
【００９３】
図１２は、第２の実施の形態の保冷保温容器１０２が平板状に展開された状態を示す斜視図である。図１３（ａ）乃至図１３（ｃ）は、図１２の保冷保温容器１０２の組み立て方法を説明するための図である。
【００９４】
図１２に示すように、第２の実施の形態による保冷保温容器１０２では、一方の側面パネル部分１７ａの左面パネル１３に、連結部３１ｆを介して底面パネル１６が連結され、他方の側面パネル部分１７ｂの右面パネル１５に、連結部３１ｅを介して天面パネル１１が連結されている。図示された例では、天面パネル１１の一対の天面パネル部分１１ａ、１１ｂがそれぞれ右面パネル１５の一対の右面パネル部分１５ａ、１５ｂに連結されている。また、底面パネル１６の一対の底面パネル部分１６ａ、１６ｂがそれぞれ左面パネル１３の一対の左面パネル部分１３ａ、１３ｂに連結されている。
【００９５】
その他の構成は、図１乃至図１１に示す第１の実施の形態と略同様である。図１２および図１３において、図１乃至図１１に示す第１の実施の形態と同一の部分には同一の符号を付して詳細な説明は省略する。
【００９６】
次に、図１３（ａ）乃至図１３（ｃ）を参照して、第２の実施の形態の作用について説明する。
【００９７】
まず、第１の実施の形態と同様に、第２分離部３３ｂを介して分離された一方の側面パネル部分１７ａを含む一方の連結パネル１８ａと、他方の側面パネル部分１７ｂを含む他方の連結パネル１８ｂとが、それぞれ、各連結部３１ａ〜３１ｅおよび折曲部３２ａ、３２ｂを介して折り畳まれて小型化された状態で、例えば航空輸送用コンテナのアルミ製の輸送容器２内に搬入される。本実施の形態では、側面パネル１７が第２分離部３３ｂを介して一方の側面パネル部分１７ａと他方の側面パネル部分１７ｂとに分離されており、一方の側面パネル部分１７ａに、底面パネル１６が連結され、他方の側面パネル部分１７ｂに、天面パネル１１が連結されているため、分離された一方の側面パネル部分１７ａを含む一方の連結パネル１８ａの大きさと他方の側面パネル部分１７ｂを含む他方の連結パネル１８ｂの大きさとを概ね揃えることができ、一部品あたりの大きさを概ね半減することができる。そのため、全高方向の長さが１ｍ以上であっても、１人または少数の作業者により容易に搬入することができる。さらに、天面パネル１１および各側面用パネル１２、１３、１４、１５が真空断熱材を含んでいるため軽量であり、作業者の負担が一層軽減する。
【００９８】
次に、輸送容器２内において、図１３（ａ）に示すように、一方の側面パネル部分１７ａを含む一方の連結パネル１８ａが立たされた状態で、一方の側面パネル部分１７ａが展開される。そして、左面パネル１３の内面に取り付けられた不図示の雌型面ファスナに対して折曲部３２ａを跨ぐように雄型面ファスナ付フラップ５６（図１１参照）が当接されることで、左面パネル１３の折曲部３２ａが固定される。また、他方の側面パネル部分１７ｂを含む他方の連結パネル１８ｂが立たされた状態で、他方の側面パネル部分１７ａが展開される。そして、右面パネル１５の内面に取り付けられた不図示の雌型面ファスナに対して折曲部３２ｂを跨ぐように雄型面ファスナ付フラップ５６（図１１参照）が当接されることで、右面パネル１５の折曲部３２ａが固定される。また、一方の側面パネル部分１７ａの第２分離部３３ｂ側の端部と他方の側面パネル部分１７ｂの第２分離部３３ｂ側の端部とが、上述のように面ファスナ５３、５４、５５によって締結される。
【００９９】
次に、図１３（ｂ）に示すように、左面パネル１３に連結部３１ｆを介して連結された底面パネル１６が広げられる（押し下げられる）。そして、底面パネル１６の端面が、左面パネル１３、奥面パネル１４、および右面パネル１５の下端部の内面に当接される。ここで、底面パネル１６は側面パネル１７に連結されているため、底面パネル１６を、その向きや裏表を間違わずに側面パネル１７に対して適切に位置決めする必要が無く、作業性が良い。
【０１００】
次に、図１３（ｃ）に示すように、右面パネル１５に連結部３１ｅを介して連結された天面パネル１１が広げられる（押し上げられる）。そして、天面パネル１１の天井部の底面が左面パネル１３、奥面パネル１４、および右面パネル１５の端面に当接されるとともに、天面パネル１１の嵌合部の端面が左面パネル１３、奥面パネル１４、および右面パネル１５の上端部の内面に当接される。天面パネル１１の嵌合部の端面と左面パネル１３、奥面パネル１４、および右面パネル１５の上端部の内面とは、前記したように面ファスナ５１、５２によって連結される。ここで、天面パネル１１は側面パネル１７に連結されているため、天面パネル１１を、その向きや裏表を間違わずに側面パネル１７に対して適切に位置決めする必要が無く、作業性が良い。
【０１０１】
このようにして、輸送容器２内に収容され、組み立てられた保冷保温容器１０２が得られる。天面パネル１１は側面パネル１７に連結され、底面パネル１６は側面パネル１７に連結されているため、天面パネル１１と側面パネル１７との間および側面パネル１７と底面パネル１６との間からの熱の出入りを抑制でき、保冷保温容器１０２の内部温度を良好に維持することができる。
【０１０２】
次に、正面パネル１２の一対の正面パネル部分１２ａ、１２ｂが開の状態で、この一対の正面パネル部分１２ａ、１２ｂから保冷保温容器１０２の内部に貨物が収納される。その後、この一対の正面パネル部分１２ａ、１２ｂが閉とされる。この時、一方の正面パネル部分１２ａの端部に全高方向に延びるように取付られた雌型面ファスナ５８に、他方の正面パネル部分１２ｂの端部に全高方向に延びるように取付られた雄型面ファスナ付フラップ５７が当接されることで、２つの正面パネル部分１２ａ、１２ｂがロックされる。その後、保冷保温容器１０２は、輸送容器とともに輸送される。
【０１０３】
次に、保冷保温容器１０２を使用しない場合、輸送容器２内において、前述の工程が逆の順序で行われることにより、保冷保温容器１０２が各連結部３１ａ〜３１ｆを介して折り畳まれるとともに、第２分離部３３ｂを介して一方の連結パネル１８ａと他方の連結パネル１８ｂとに分離される。本実施の形態では、天面パネル１１と側面パネル１７とが互いに連結され、底面パネル１６と側面パネル１７とが互いに連結されているため、部品点数が減り、折り畳み作業が容易である。また、側面パネル１７を少なくとも一方の側面パネル部分１７ａと他方の側面パネル部分１７ｂとに分離することで、一部品あたりの大きさが減少し、持ち運び性が向上する。
【０１０４】
以上のような第２の実施の形態によっても、一方の側面パネル部分１７ａに一方の天面パネル部分１１ａと一方の底面パネル部分１６ａとが連結され、他方の側面パネル部分１７ｂに他方の天面パネル部分１１ｂと他方の底面パネル部分１６ｂとが連結されていることによる作用効果以外は、第１の実施の形態と同様の作用効果が得られる。
【０１０５】
また、第２の実施の形態よれば、一方の側面パネル部分１７ａに底面パネル１６が連結され、他方の側面パネル部分１７ｂに天面パネル１１が連結されているため、分離された一方の側面パネル部分１７ａを含む一方の連結パネル１８ａと他方の側面パネル部分１７ｂを含む他方の連結パネル１８ｂの大きさを概ね揃えることができ、一部品あたりの大きさを半減することができる。
【０１０６】
なお、本実施の形態では、一方の側面パネル部分１７ａの左面パネル１３に、連結部３１ｆを介して底面パネル１６が連結され、他方の側面パネル部分１７ｂの右面パネル１５に、連結部３１ｅを介して天面パネル１１が連結されていたが、これに限定されず、一方の側面パネル部分１７ａの左面パネル１３に、連結部３１ｅを介して天面パネル１１が連結され、他方の側面パネル部分１７ｂの右面パネル１５に、連結部３１ｆを介して底面パネル１６が連結されていてもよい。このような態様によっても、第２の実施の形態と同様の作用効果が得られる。
【０１０７】
また、本実施の形態では、図１２に示すように、天面パネル１１および底面パネル１６はそれぞれ一対の天面パネル部分１１ａ、１１ｂおよび一対の底面パネル部分１６ａ、１６ｂに分離可能であるとともに、左面パネル１３および右面パネル１５はそれぞれ折曲部３２ａ、３２ｂを介して折り曲げ可能であったが、これに限定されず、図１４に示すように、天面パネル１１、左面パネル１３、右面パネル１５、および底面パネル１６は、それぞれ、折り曲げ不能且つ分離不能な一枚のパネルから構成されていてもよい。この場合、天面パネル１１、左面パネル１３、右面パネル１５、および底面パネル１６をそれぞれ折り畳んで小型化することはできなくなるが、天面パネル１１、左面パネル１３、右面パネル１５、および底面パネル１６の各々のパネル部分間に断熱性部材、好ましくは真空断熱材２１を配置することができる。これにより、各々のパネル部分間からの熱の出入りを抑制でき、保冷保温容器１０２の内部温度を一層良好に維持することができる。
【０１０８】
さらに、図１５（ａ）乃至図１５（ｃ）を用いて、本実施の形態の好ましい変形例について説明する。図１５（ａ）乃至図１５（ｃ）は、左面パネル１３に設けられた固定具付ベルト６５について説明するための図である。
【０１０９】
図１５（ａ）に示すように、左面パネル１３の上方には、左面パネル１３に上方の一端が固定され、他端に固定具を有するベルト６５を有している。また、天面パネル１１の左側方には、取っ手としてバックル６６が取り付けられている。そして、図１５（ｂ）および図１５（ｃ）に示すように、左面パネル１３のベルト６５の他端側を天面パネル１１のバックル６６の輪の中を通す。このような状態で、ベルト６５をバックル６６の輪を梃子として使いながら引っ張ることで、バックル６６が下方に引っ張られ、天面パネル１１と左面パネル１３がより密着するようになる。最後に、ベルト６５の固定具を使って、ベルト６５とバックル６６とを固定することで、その密着状態を保持することができる。なお、組み立て時に密着を向上させる目的であれば、ベルト６５は、左面パネル１３に固定している必要や固定具を有している必要はない。また、輪、フック、摘みなどの公知の取っ手を用いてもよく、作業者が手で引っ張ることも可能である。
【符号の説明】
【０１１０】
１      コンテナ
２      輸送容器
１０    保冷保温容器
１０２  保冷保温容器
１１    天面パネル
１１ａ、１１ｂ  天面パネル部分
１２    正面パネル
１２ａ、１２ｂ  正面パネル部分
１３    左面パネル
１３ａ、１３ｂ  左面パネル部分
１４    奥面パネル
１４ａ、１４ｂ  奥面パネル部分
１５    右面パネル
１５ａ、１５ｂ  右面パネル部分
１６    底面パネル
１６ａ、１６ｂ  底面パネル部分
１７    側面パネル
１７ａ、１７ｂ  側面パネル部分
１８ａ、１８ｂ  連結パネル
２０    断熱性部材
２０’  底面用断熱性部材
２０Ａ  外装袋付断熱性部材
２１    真空断熱材
２１ａ  芯材
２１ｂ  外被材
２２    追加断熱材
２３    保護材
２５    外装袋
２６    発泡断熱材
２７    底面用保護材
３１ａ〜３１ｆ  連結部
３２ａ、３２ｂ  折曲部
３３ａ、３３ｂ  分離部
４１    収納部
４２    保冷材または保温材
５１    雄型面ファスナ付フラップ
５２    雌型面ファスナ
５３    雄型面ファスナ付フラップ
５４    雌型面ファスナ
５５    雄型面ファスナ付フラップ
５６    雄型面ファスナ付フラップ
５７    雄型面ファスナ付フラップ
５８    雌型面ファスナ
６５    ベルト
６６    バックル（取っ手）
【図１ａ】
0006467875.tif 000002
【図１ｂ】
0006467875.tif 000003
【図１ｃ】
0006467875.tif 000004
【図２】
0006467875.tif 000005
【図３】
0006467875.tif 000006
【図４】
0006467875.tif 000007
【図５】
0006467875.tif 000008
【図６】
0006467875.tif 000009
【図７】
0006467875.tif 000010
【図８】
0006467875.tif 000011
【図９】
0006467875.tif 000012
【図１０】
0006467875.tif 000013
【図１１】
0006467875.tif 000014
【図１２】
0006467875.tif 000015
【図１３】
0006467875.tif 000016
【図１４】
0006467875.tif 000017
【図１５】
0006467875.tif 000018